【手続補正書】
【提出日】平成22年8月13日(2010.8.13)
【手続補正１】
【補正対象書類名】特許請求の範囲
【補正対象項目名】全文
【補正方法】変更
【補正の内容】
【特許請求の範囲】
【請求項１】
光学像を撮像素子に導くための被検レンズと、
エッジ模様が形成されたチャートと、
マトリックス状に複数の光電変換素子が配置されて、前記被検レンズを介して導かれた前記チャート像を光電変換して画像信号を出力する前記撮像素子と、を用い、
前記撮像素子から出力する前記画像信号に基づいて、前記エッジ模様を含む所定の画素範囲を走査し、前記被検レンズの性能を評価するための指標となるＭＴＦ（Ｍｏｄｕｌａｔｉｏｎ  Ｔｒａｎｓｆｅｒ  Ｆｕｎｃｔｉｏｎ）を測定するＭＴＦ測定方法であって、
前記被検レンズの光学中心から径方向に延出する所定の法線上に位置して前記撮像素子に結像された前記エッジ模様の、前記撮像素子の画素配置方向に対するエッジの傾斜角を検出するエッジ傾斜角検出ステップと、
前記エッジ傾斜角検出ステップで検出された前記エッジの傾斜角に基づいて、前記エッジの傾斜角が前記画素配置方向に対して所定の角度になるように、前記エッジ模様を含む所定の画像範囲を傾斜させるエッジ模様傾斜ステップと、
前記エッジ模様傾斜ステップで傾斜された前記所定の画像範囲における画素値を、傾斜前の元の画素値から補間生成する補間生成ステップと、
前記補間生成ステップによって補間生成された画素値を用いて、前記ＭＴＦを測定するＭＴＦ測定ステップと、
を備え、
前記被検レンズの光学中心から前記エッジ模様のエッジ延出方向に対して所定の角度だけ傾斜する法線及び該法線に直交する接線の少なくとも一方向に沿って、前記ＭＴＦを測定することを特徴とするＭＴＦ測定方法。
【請求項２】
光学像を撮像素子に導くための被検レンズと、
エッジ模様が形成されたチャートと、
マトリックス状に複数の光電変換素子が配置されて、前記被検レンズを介して導かれた前記チャート像を光電変換して画像信号を出力する前記撮像素子と、を用い、
前記撮像素子から出力する前記画像信号に基づいて、前記エッジ模様を含む所定の画素範囲を走査し、前記被検レンズの性能を評価するための指標となるＭＴＦ（Ｍｏｄｕｌａｔｉｏｎ  Ｔｒａｎｓｆｅｒ  Ｆｕｎｃｔｉｏｎ）を測定するＭＴＦ測定方法であって、
前記被検レンズの光学中心から径方向に延出する所定の法線上に位置して前記撮像素子に結像された前記エッジ模様の、前記撮像素子の画素配置方向に対するエッジの傾斜角を検出するエッジ傾斜角検出ステップと、
前記エッジ傾斜角検出ステップで検出された前記エッジの傾斜角に基づいて、前記エッジの傾斜角が前記画素配置方向に対して所定の角度になるように、前記エッジ模様の位置を変えずに、前記所定の画素範囲における画素配置を傾斜させる画素配置傾斜ステップと、
前記画素配置傾斜ステップで傾斜された前記所定の画素範囲における画素値を、傾斜前の元の画素値から補間生成する傾斜画素補間生成ステップと、
前記傾斜画素補間生成ステップによって補間生成された画素値を用いて、前記法線又は該法線に直交する接線に沿って前記所定の画素範囲を走査し、前記ＭＴＦを測定するＭＴＦ測定ステップと、
を備え、
前記被検レンズの光学中心から前記エッジ模様のエッジ延出方向に対して所定の角度だけ傾斜する法線及び該法線に直交する接線の少なくとも一方向に沿って、前記ＭＴＦを測定することを特徴とするＭＴＦ測定方法。
【請求項３】
前記ＭＴＦ測定ステップで測定されたＭＴＦを、空間周波数毎に、前記エッジ傾斜角検出ステップで検出された前記エッジの傾斜角に対応付けて補正するＭＴＦ補正ステップを備えている、
ことを特徴とする請求項１又は請求項２に記載のＭＴＦ測定方法。
【請求項４】
エッジ模様が形成されたチャートと、
マトリックス状に複数の光電変換素子が配置されて、前記被検レンズを介して導かれた前記チャート像を光電変換して画像信号を出力する前記撮像素子と、を備え、
前記撮像素子から出力する前記画像信号に基づいて、前記エッジ模様を含む所定の画素範囲を走査し、前記被検レンズの性能を評価するための指標となるＭＴＦ（Ｍｏｄｕｌａｔｉｏｎ  Ｔｒａｎｓｆｅｒ  Ｆｕｎｃｔｉｏｎ）を測定するＭＴＦ測定装置であって、
前記被検レンズの光学中心から径方向に延出する所定の法線上に位置して前記撮像素子に結像された前記エッジ模様の、前記撮像素子の画素配置方向に対するエッジの傾斜角を検出するエッジ傾斜角検出手段と、
前記エッジ傾斜角検出手段で検出された前記エッジの傾斜角に基づいて、前記エッジの傾斜角が前記画素配置方向に対して所定の角度になるように、前記エッジ模様を含む所定の画像範囲を傾斜させるエッジ模様傾斜手段と、
前記エッジ模様傾斜手段で傾斜された前記所定の画像範囲における画素値を、傾斜前の元の画素値から補間生成する補間生成手段と、
前記補間生成手段によって補間生成された画素値を用いて、前記ＭＴＦを測定するＭＴＦ測定手段と、
を備え、
前記被検レンズの光学中心から前記エッジ模様のエッジ延出方向に対して所定の角度だけ傾斜する法線及び該法線に直交する接線の少なくとも一方向に沿って、前記ＭＴＦを測定するように構成されていることを特徴とするＭＴＦ測定装置。
【請求項５】
光学像を撮像素子に導くための被検レンズと、
エッジ模様が形成されたチャートと、
マトリックス状に複数の光電変換素子が配置されて、前記被検レンズを介して導かれた前記チャート像を光電変換して画像信号を出力する前記撮像素子と、を備え、
前記被検レンズの光学中心から径方向に延出する所定の法線上に位置して前記撮像素子に結像された前記エッジ模様の、前記撮像素子の画素配置方向に対するエッジの傾斜角を検出するエッジ傾斜角検出手段と、
前記エッジ傾斜角検出手段で検出された前記エッジの傾斜角に基づいて、前記エッジの傾斜角が前記画素配置方向に対して所定の角度になるように、前記エッジ模様の位置を変えずに、前記所定の画素範囲における画素配置を傾斜させる画素配置傾斜手段と、
前記画素配置傾斜手段で傾斜された前記所定の画素範囲における画素値を、傾斜前の元の画素値から補間生成する傾斜画素補間生成手段と、
前記傾斜画素補間生成手段によって補間生成された画素値を用いて、前記法線又は該法線に直交する接線に沿って前記所定の画素範囲を走査し、前記ＭＴＦを測定するＭＴＦ測定手段と、
を備え、
前記被検レンズの光学中心から前記エッジ模様のエッジ延出方向に対して所定の角度だけ傾斜する法線及び該法線に直交する接線の少なくとも一方向に沿って、前記ＭＴＦを測定することを特徴とするＭＴＦ測定装置。
【請求項６】
前記ＭＴＦ測定手段で測定されたＭＴＦを、空間周波数毎に、前記エッジ傾斜角検出手段で検出された前記エッジの傾斜角に対応付けて補正するＭＴＦ補正手段を備えている、
ことを特徴とする請求項４又は請求項５に記載のＭＴＦ測定装置。
【手続補正２】
【補正対象書類名】明細書
【補正対象項目名】００１４
【補正方法】変更
【補正の内容】
【００１４】
また、請求項１又は請求項２に記載のＭＴＦ測定方法は、請求項３に記載の発明のように、前記ＭＴＦ測定ステップで測定されたＭＴＦを、空間周波数毎に、前記エッジ傾斜角検出ステップで検出された前記エッジの傾斜角に対応付けて補正するＭＴＦ補正ステップを備えていることにより、さらに一層、ＭＴＦの測定精度を向上できる。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】変更
【補正の内容】
【００１６】
次に、請求項４に記載の発明は、光学像を撮像素子に導くための被検レンズと、エッジ模様が形成されたチャートと、マトリックス状に複数の光電変換素子が配置されて、前記被検レンズを介して導かれた前記チャート像を光電変換して画像信号を出力する前記撮像素子と、を備え、前記撮像素子から出力する前記画像信号に基づいて、前記エッジ模様を含む所定の画素範囲を走査し、前記被検レンズの性能を評価するための指標となるＭＴＦ（Ｍｏｄｕｌａｔｉｏｎ  Ｔｒａｎｓｆｅｒ  Ｆｕｎｃｔｉｏｎ）を測定するＭＴＦ測定装置であって、前記被検レンズの光学中心から径方向に延出する所定の法線上に位置して前記撮像素子に結像された前記エッジ模様の、前記撮像素子の画素配置方向に対するエッジの傾斜角を検出するエッジ傾斜角検出手段と、前記エッジ傾斜角検出手段で検出された前記エッジの傾斜角に基づいて、前記エッジの傾斜角が前記画素配置方向に対して所定の角度になるように、前記エッジ模様を含む所定の画像範囲を傾斜させるエッジ模様傾斜手段と、前記エッジ模様傾斜手段で傾斜された前記所定の画像範囲における画素値を、傾斜前の元の画素値から補間生成する補間生成手段と、前記補間生成手段によって補間生成された画素値を用いて、前記ＭＴＦを測定するＭＴＦ測定手段と、を備え、前記被検レンズの光学中心から前記エッジ模様のエッジ延出方向に対して所定の角度だけ傾斜する法線及び該法線に直交する接線の少なくとも一方向に沿って、前記ＭＴＦを測定するように構成されていることを特徴とする。
【手続補正５】
【補正対象書類名】明細書
【補正対象項目名】００１７
【補正方法】変更
【補正の内容】
【００１７】
請求項４に記載のＭＴＦ測定装置は、被検レンズの光学中心から径方向に延出する所定の法線上に位置して撮像素子に結像されたエッジ模様の、撮像素子の画素配置方向に対するエッジの傾斜角を検出するエッジ傾斜角検出手段と、エッジ傾斜角検出手段で検出されたエッジの傾斜角に基づいて、エッジの傾斜角が画素配置方向に対して所定の角度になるように、エッジ模様を含む所定の画像範囲を傾斜させるエッジ模様傾斜手段と、エッジ模様傾斜手段で傾斜された前記所定の画像範囲における画素値を、傾斜前の元の画素値から補間生成する補間生成手段と、補間生成手段によって補間生成された画素値を用いて、ＭＴＦを測定するＭＴＦ測定手段と、を備えているので、請求項１に記載の発明と同様に、撮像素子や被検レンズを回動させたりチャートのエッジ方向を調整したりすること無く、被検レンズの光学中心から径方向に向かって任意の傾斜角を有する法線及びこの法線に直交する接線に沿って、ＭＴＦを容易に且つ精度良く測定できる。
【手続補正６】
【補正対象書類名】明細書
【補正対象項目名】００１８
【補正方法】変更
【補正の内容】
【００１８】
次に、請求項５に記載の発明は、光学像を撮像素子に導くための被検レンズと、エッジ模様が形成されたチャートと、マトリックス状に複数の光電変換素子が配置されて、前記被検レンズを介して導かれた前記チャート像を光電変換して画像信号を出力する前記撮像素子と、を備え、前記撮像素子から出力する前記画像信号に基づいて、前記エッジ模様を含む所定の画素範囲を走査し、前記被検レンズの性能を評価するための指標となるＭＴＦ（Ｍｏｄｕｌａｔｉｏｎ  Ｔｒａｎｓｆｅｒ  Ｆｕｎｃｔｉｏｎ）を測定するＭＴＦ測定装置であって、前記被検レンズの光学中心から径方向に延出する所定の法線上に位置して前記撮像素子に結像された前記エッジ模様の、前記撮像素子の画素配置方向に対するエッジの傾斜角を検出するエッジ傾斜角検出手段と、前記エッジ傾斜角検出手段で検出された前記エッジの傾斜角に基づいて、前記エッジの傾斜角が前記画素配置方向に対して所定の角度になるように、前記エッジ模様の位置を変えずに、前記所定の画素範囲における画素配置を傾斜させる画素配置傾斜手段と、前記画素配置傾斜手段で傾斜された前記所定の画素範囲における画素値を、傾斜前の元の画素値から補間生成する傾斜画素補間生成手段と、前記傾斜画素補間生成手段によって補間生成された画素値を用いて、前記法線又は該法線に直交する接線に沿って前記所定の画素範囲を走査し、前記ＭＴＦを測定するＭＴＦ測定手段と、を備え、前記被検レンズの光学中心から前記エッジ模様のエッジ延出方向に対して所定の角度だけ傾斜する法線及び該法線に直交する接線の少なくとも一方向に沿って、前記ＭＴＦを測定するように構成されていることを特徴とする。
【手続補正７】
【補正対象書類名】明細書
【補正対象項目名】００１９
【補正方法】変更
【補正の内容】
【００１９】
請求項５に記載のＭＴＦ測定装置は、被検レンズの光学中心から径方向に延出する所定の法線上に位置して撮像素子に結像されたエッジ模様の、撮像素子の画素配置方向に対するエッジの傾斜角を検出するエッジ傾斜角検出手段と、エッジ傾斜角検出手段で検出されたエッジの傾斜角に基づいて、エッジの傾斜角が画素配置方向に対して所定の角度になるように、エッジ模様の位置を変えずに、所定の画素範囲における画素配置を傾斜させる画素配置傾斜手段と、画素配置傾斜手段で傾斜された所定の画素範囲における画素値を傾斜前の元の画素値から補間生成する傾斜画素補間生成手段と、傾斜画素補間生成手段によって補間生成された画素値を用いて、法線又はこの法線に直交する接線に沿って所定の画素範囲を走査し、ＭＴＦを測定するＭＴＦ測定手段と、を備えているので、請求項２に記載の発明と同様に、撮像素子や被検レンズを回動させたりチャートのエッジ方向を調整したりすること無く、被検レンズの光学中心から径方向に向かって任意の傾斜角を有する法線及びこの法線に直交する接線に沿って、ＭＴＦを容易に且つ精度良く測定できる。
【手続補正８】
【補正対象書類名】明細書
【補正対象項目名】００２０
【補正方法】変更
【補正の内容】
【００２０】
また、請求項４又は請求項５に記載のＭＴＦ測定装置は、請求項６に記載の発明のように、前記ＭＴＦ測定手段で測定されたＭＴＦを、空間周波数毎に、前記エッジ傾斜角検出手段で検出された前記エッジの傾斜角に対応付けて補正するＭＴＦ補正手段を備えていることにより、さらに一層、ＭＴＦの測定精度を向上できる。
【手続補正９】
【補正対象書類名】明細書
【補正対象項目名】００２１
【補正方法】削除
【補正の内容】
【手続補正１０】
【補正対象書類名】明細書
【補正対象項目名】００２４
【補正方法】変更
【補正の内容】
【００２４】
また、本発明の第１及び第２の態様におけるＭＴＦ測定方法及びＭＴＦ測定装置は、測定されたＭＴＦを、空間周波数毎に、検出されたエッジの傾斜角に対応付けて補正したりすることにより、さらに一層、ＭＴＦの測定精度を向上できる。
【手続補正１１】
【補正対象書類名】明細書
【補正対象項目名】００４６
【補正方法】変更
【補正の内容】
【００４６】
図４（ｂ）において、画像データのエッジを介して左側の輝度が暗く、右側の輝度が明るく発現している。また、図４（ｂ）は、撮像して得られた画像データを表しており、四角い枠の１つ１つが画素を表し、画素内の△、□、●、○等が画素値を表している。
【手続補正１２】
【補正対象書類名】明細書
【補正対象項目名】００５５
【補正方法】変更
【補正の内容】
【００５５】
すなわち、ステップ応答算出部１０ｂにおいて、エッジ付近の画素値を垂直方向にサンプリング数Ｐずつスキャンして、スキャンした順番に画素値を並べることにより、エッジのステップ応答を得ることができる。また、図４（ｄ）において、エッジがより明確に捉えられているほど立ち上り又は立下りの勾配が急になって現れる。
【手続補正１３】
【補正対象書類名】明細書
【補正対象項目名】００６４
【補正方法】変更
【補正の内容】
【００６４】
なお、本発明の請求項４におけるエッジ傾斜角検出手段がエッジ傾斜角検出部６によってその機能が発現され、本発明の請求項４におけるエッジ模様傾斜手段がエッジ模様傾斜部７によってその機能が発現され、本発明の請求項４における補間生成手段が画素値補間生成部８によってその機能が発現され、本発明の請求項６におけるＭＴＦ補正手段がＭＴＦ補正部１１及び補正係数記憶部１３等によってその機能が発現される。
【手続補正１４】
【補正対象書類名】明細書
【補正対象項目名】００８１
【補正方法】変更
【補正の内容】
【００８１】
なお、本発明の請求項１におけるエッジ傾斜角検出ステップがＳ２００によってその機能が発現され、本発明の請求項１におけるエッジ模様傾斜ステップがＳ３００によってその機能が発現され、本発明の請求項１における補間生成ステップがＳ４００よってその機能が発現され、本発明の請求項３におけるＭＴＦ補正ステップがＳ６００及びＳ７００等によってその機能が発現される。
【手続補正１５】
【補正対象書類名】明細書
【補正対象項目名】００９２
【補正方法】変更
【補正の内容】
【００９２】
なお、本発明の請求項５における画素配置傾斜手段がエッジ模様傾斜部７ｂによってその機能が発現され、本発明の請求項５における傾斜画素補間生成手段が画素値補間生成部８ｂによってその機能が発現される。
【手続補正１６】
【補正対象書類名】図面
【補正対象項目名】図４
【補正方法】変更
【補正の内容】
【図４】
2009204382.tif 000001